(57)【要約】【課題】スピーカアレイ装置が配置された空間内において音響反射板が用いられる場合であっても音響ビームの放音方向を自動的に設定可能とする技術を提供する。【解決手段】放音装置１１はスピーカアレイ１１０からテスト用の音響ビームを旋回させて放音し、聴取位置に配置されたマイクロフォン１２により集音された音響ビームの直接音もしくは反射音を示す集音信号の入力を受け、音響ビームの放音方向と集音信号の音圧レベルとの関係を示す音圧プロファイルを生成する。ピーク特定部１１５１は音圧プロファイルからピーク方向を特定し、方向設定部１１５２はそれらのピーク方向の中からマルチチャンネルサラウンド音を構成する複数のチャンネル音の各々の音響ビームの放音方向を選択する。方向設定部１１５２は音響反射板有無特定部１１５３により特定される音響反射板の有無に応じた異なる規則に従い、音響ビームの放音方向を選択する。【選択図】図１
2014033266.tif 000002
【特許請求の範囲】
【請求項１】
複数のスピーカを有するスピーカアレイと、
前記複数のスピーカのうちの１以上のスピーカの各々に音信号を出力し、当該音信号の出力のタイミングを制御して前記スピーカアレイから１以上の方向の各々に音響ビームを放音させる音信号出力手段と、
聴取位置に配置されたマイクロフォンから出力される集音信号を受け取る集音信号入力手段と、
前記音信号出力手段が前記スピーカアレイに対し放音の方向を変化させながらテスト用の音響ビームを放音させる場合に、音響ビームの方向を示す方向データと、前記マイクロフォンが集音した集音信号とを関連付けて記憶する記憶手段と、
前記記憶手段に互いに関連付けて記憶された方向データと集音信号に基づき、当該集音信号中のおける複数のピークを検出し、各ピークにおける方向をピーク方向として特定するピーク特定手段と、
前記スピーカアレイから放音される音響ビームを反射するための音響反射板が存在するか否かを特定する音響反射板有無特定手段と、
マルチチャンネル音を構成する複数の音のチャンネルのうち少なくとも１のチャンネルに対し、前記ピーク特定手段により特定された１以上のピーク方向の中から所定の規則に従い選択したピーク方向を設定する方向設定手段と
を備え、
前記方向設定手段は、前記音響反射板有無特定手段により音響反射板が存在しないと特定された場合と音響反射板が存在すると特定された場合で互いに異なる前記所定の規則に従い、チャンネルに対するピーク方向の設定を行なう
放音装置。
【請求項２】
前記所定の規則は、選択されるピーク方向が含まれるべき所定の範囲を条件として含み、
前記方向設定手段は、前記音響反射板有無特定手段により音響反射板が存在すると特定された場合、前記所定の範囲を拡張する
請求項１に記載の放音装置。
【請求項３】
ユーザによる操作に応じて所定の信号を生成することにより前記ユーザによるデータの入力を受け付ける操作手段を備え、
前記音響反射板有無特定手段は、前記操作手段に対し前記ユーザにより入力されたデータに基づき、音響反射板が存在するか否かを特定する
請求項１または２に記載の放音装置。
【請求項４】
前記音響反射板有無特定手段は、前記ピーク特定手段により検出されたピークのうち少なくとも１のピークが所定の条件を満たす場合、音響反射板が存在すると特定する
請求項１乃至３のいずれか１項に記載の放音装置。
【請求項５】
前記音響反射板有無特定手段は、前記ピーク特定手段により検出された一のピークにおける音圧レベルが所定の閾値以上であり、当該一のピークを形成する領域の方向に関する幅が所定の閾値以下である場合、当該一のピークにおける方向に音響反射板が存在すると特定する
請求項４に記載の放音装置。
【発明の詳細な説明】
【技術分野】
【０００１】
本発明は、複数のスピーカを有するスピーカアレイにより複数の音響ビームを各々異なる方向に放音してマルチチャンネル音の再生を行なう放音装置に関する。
【背景技術】
【０００２】
マトリックス状に配置された複数のスピーカを有するスピーカアレイを用いて、マルチチャンネル音を構成する複数のチャンネルの音の各々を、各々異なる方向に音響ビームとして放音することにより、１つのスピーカアレイによりマルチチャンネル音の再生を可能とする放音装置（以下、「スピーカアレイ装置」と呼ぶ）がある。
【０００３】
スピーカアレイ装置から放音される音響ビームの一部は、スピーカアレイ装置の配置されている空間の外縁を定めている壁面に１回以上反射した後、聴取者からみてスピーカアレイ装置の方角とは異なる方角から聴取者に到達する。図１４は、スピーカアレイ装置から放音された音響ビームが聴取者に到達する経路を示した図である。図１４に示される空間ＳＰの形状は上から見て矩形であり、聴取者Ｕから見て正面側の壁面ＷF、左側の壁面ＷL、後側の壁面ＷB、右側の壁面ＷR、床（図示略）および天井（図示略）によりその外縁が定められている。空間ＳＰ内には、壁面ＷFに近い左右方向中央位置に、スピーカの放音面が壁面ＷFと平行となるように、スピーカアレイ装置である放音装置９１が配置されている。
【０００４】
放音装置９１は、水平面上において、放音装置９１の放音面に平行なベースラインＢの聴取者Ｕから見て左側の半直線の方向を基準方向（０度方向）として、角度θ1の方向、角度θ2の方向、角度θ3の方向、角度θ4の方向、角度θ5の方向（ただし、０度＜θ1＜θ2＜θ3＜θ4＜θ5＜１８０度）に、５．１チャンネルのマルチサラウンドチャンネル音を構成するフロント左チャンネル（以下、「Ｌｃｈ」と呼ぶ）の音、サラウンド左チャンネル（以下、「ＳＬｃｈ」と呼ぶ）の音、センタチャンネル（以下、「Ｃｃｈ」と呼ぶ）、サラウンド右チャンネル（以下、「ＳＲｃｈ」と呼ぶ）の音、フロント右チャンネル（以下、「Ｒｃｈ」と呼ぶ）の音を各々、音響ビームとして放音する。
【０００５】
なお、５．１チャンネルのマルチサラウンドチャンネル音を構成する低音増強用チャンネル（Low Frequency Effects Channel、以下、「ＬＦＥｃｈ」と呼ぶ）の音は放音装置９１から音響ビーム化されずに放音される。そのため、本願においてＬＦＥｃｈの音信号に関する処理についてはその説明を省略する。
【０００６】
角度θ1および角度θ5の方向に放音されたＬｃｈおよびＲｃｈの音響ビームは壁面ＷL又は壁面ＷRに反射した後、各々、左前方および右前方から聴取者Ｕに到達する。従って、聴取者Ｕはあたかも左前方に配置された（実在しない）スピーカ９０ＬからＬｃｈの音が、右前方に配置された（実在しない）スピーカ９０ＲからＲｃｈの音が放音されたかのように知覚する。また、角度θ2および角度θ4の方向に放音されたＳＬｃｈおよびＲＬｃｈの音響ビームは壁面ＷL又は壁面ＷRと、壁面ＷBに計２回反射した後、各々、左後方および右後方から聴取者Ｕに到達する。従って、聴取者Ｕはあたかも左後方に配置された（実在しない）スピーカ９０ＳＬからＳＬｃｈの音が、右後方に配置された（実在しない）スピーカ９０ＳＲからＳＲｃｈの音が放音されたかのように知覚する。また、角度θ3の方向に放音されたＣｃｈの音響ビームは直接、前方から聴取者Ｕに到達する。従って、聴取者Ｕは前方に配置されたスピーカ９０ＣからＣｃｈの音が放音されたと知覚する。
【０００７】
上記のように、聴取者Ｕは各々異なる方角から到達する音を聴くため、マルチサラウンドチャンネル音を聞くことができる。
【０００８】
スピーカアレイ装置が上記のようにマルチサラウンドチャンネル音の再生を行なうためには、各チャンネルの音響ビームの放音方向が正しく設定される必要がある。スピーカアレイ装置から放音される音声ビームの角度を設定する技術を開示した文献として、例えば特許文献１がある。特許文献１に開示のスピーカアレイ装置においては、テスト音声ビームをスピーカアレイから旋回しながら出力し、聴取位置に配置されたマイクロフォンにより直接音および反射音を集音することにより、ビームの旋回角度に対する信号レベルを測定し、測定された信号レベルがピークとなる角度を複数特定する。そのように特定した旋回角度のいずれかを所定の規則に従い各チャンネルの音声ビームの放音角度として設定する。
【先行技術文献】
【特許文献】
【０００９】
【特許文献１】特許第４１２７２４８号明細書
【発明の概要】
【発明が解決しようとする課題】
【００１０】
スピーカアレイ装置によりマルチサラウンドチャンネル音の再生を行なうためには一般的に、スピーカアレイ装置から放音された音響ビームを低損失で反射する壁面が望ましい位置に存在する必要がある。そのような壁面が存在しない部屋等においてもスピーカアレイ装置によるマルチサラウンドチャンネル音の再生を可能とするために、音響反射板が利用される場合がある。図１５は、音響反射板の一例をその背面から見た外観図である。音響反射板は低損失で音を反射する板であり、平板な面に垂直な方向が水平方向となる向きでスタンドに取り付けられて、スピーカアレイ装置から放音された音響ビームが音響反射板に反射して聴取者の頭部に達するようにその中央位置がスピーカアレイ装置の高さと聴取者の頭部の高さの間の適した高さとなるように調整された状態で、スピーカアレイ装置が配置される空間内に配置される。聴取者はあるチャンネルの音響ビームを反射する望ましい壁面が欠落している場合、その音響ビームの放音方向に音響反射板を配置して壁面の欠落を補うことで、スピーカアレイ装置によるマルチサラウンドチャンネル音の再生を可能とすることができる。
【００１１】
音響反射板はスピーカアレイ装置の配置される空間内の任意の位置に配置され得る。そのため、例えば特許文献１に提案されているスピーカアレイ装置が備える音響ビームの放音方向の自動設定機能を用いた場合、音響反射板が使用されていると、音響ビームの放音方向が正しく設定されない場合があり得る。例えば、図１４に示した壁面ＷRの一部が図１６に示すように欠落している場合、Ｒｃｈの音響ビームを角度θ5の方向に放音しても、Ｒｃｈの音は聴取者Ｕに到達しない。そこで、聴取者ＵがＲｃｈの音響ビームを反射するために音響反射板ＲＢを右前方の角度θ6の位置に配置したとする。この場合、スピーカアレイ装置は、角度θ6の方向に放音された音響ビームが壁面ＷRに１回反射して聴取者Ｕの右前方から到達する経路は無いと判定して、角度θ6の方向をＲｃｈの音響ビームの放音の方向として設定しない可能性がある。
【００１２】
従って、従来、スピーカアレイ装置が配置された空間内に音響反射板が配置された場合、スピーカアレイ装置が音響ビームの放音方向を自動設定する機能を備えていたとしても、ユーザがその音響反射板に割り当てたいチャンネルの音響ビームの放音方向を手動で調整する必要があった。
【００１３】
上記の事情に鑑み、本発明は、スピーカアレイ装置が配置された空間内に音響反射板が配置された場合であっても音響ビームの放音方向を自動的に設定可能とする技術を提供することを目的とする。
【課題を解決するための手段】
【００１４】
上記課題を解決するため、本発明は、複数のスピーカを有するスピーカアレイと、前記複数のスピーカのうちの１以上のスピーカの各々に音信号を出力し、当該音信号の出力のタイミングを制御して前記スピーカアレイから１以上の方向の各々に音響ビームを放音させる音信号出力手段と、聴取位置に配置されたマイクロフォンから出力される集音信号を受け取る集音信号入力手段と、前記音信号出力手段が前記スピーカアレイに対し放音の方向を変化させながらテスト用の音響ビームを放音させる場合に、音響ビームの方向を示す方向データと、前記マイクロフォンが集音した集音信号とを関連付けて記憶する記憶手段と、前記記憶手段に互いに関連付けて記憶された方向データと集音信号に基づき、当該集音信号中のおける複数のピークを検出し、各ピークにおける方向をピーク方向として特定するピーク特定手段と、前記スピーカアレイから放音される音響ビームを反射するための音響反射板が存在するか否かを特定する音響反射板有無特定手段と、マルチチャンネル音を構成する複数の音のチャンネルのうち少なくとも１のチャンネルに対し、前記ピーク特定手段により特定された１以上のピーク方向の中から所定の規則に従い選択したピーク方向を設定する方向設定手段とを備え、前記方向設定手段は、前記音響反射板有無特定手段により音響反射板が存在しないと特定された場合と音響反射板が存在すると特定された場合で互いに異なる前記所定の規則に従い、チャンネルに対するピーク方向の設定を行なう放音装置を提供する。
【００１５】
このような放音装置によれば、放音装置が配置される空間内に音響反射板が存在する場合は音響反射板が存在しない場合と異なる規則に従い音響ビームの放音方向が特定されるため、音響反射板に対するチャンネルの割り当てが正しく自動的に設定され得る。
【００１６】
また、上記の放音装置において、前記所定の規則は、選択されるピーク方向が含まれるべき所定の範囲を条件として含み、前記方向設定手段は、前記音響反射板有無特定手段により音響反射板が存在すると特定された場合、前記所定の範囲を拡張する、という構成が採用されてもよい。
【００１７】
このような放音装置によれば、放音装置が配置される空間内に音響反射板が存在する場合は音響反射板が存在しない場合よりも広い範囲内で音響ビームの放音方向が選択されるため、壁面による反射では聴取者に音響ビームが到達し得ない方向に音響反射板が配置された場合であっても、音響反射板に対するチャンネルの割り当てが正しく自動的に設定され得る。
【００１８】
また、上記の放音装置において、ユーザによる操作に応じて所定の信号を生成することにより前記ユーザによるデータの入力を受け付ける操作手段を備え、前記音響反射板有無特定手段は、前記操作手段に対し前記ユーザにより入力されたデータに基づき、音響反射板が存在するか否かを特定する、という構成が採用されてもよい。
【００１９】
このような放音装置によれば、ユーザにより入力されたデータに基づき音響反射板の有無が特定されるため、チャンネルの音響反射板に対する割り当てがユーザの意図に従い行なわれ得る。
【００２０】
また、上記の放音装置において、前記音響反射板有無特定手段は、前記ピーク特定手段により検出されたピークのうち少なくとも１のピークが所定の条件を満たす場合、音響反射板が存在すると特定する、という構成が採用されてもよい。
【００２１】
このような放音装置によれば、音響反射板の有無が自動的に特定されるため、ユーザによる音響反射板の有無を示すデータの入力の有無にかかわらず、音響反射板に対するチャンネルの割り当てが行なわれ得る。
【００２２】
また、上記の放音装置において、前記音響反射板有無特定手段は、前記ピーク特定手段により検出された一のピークにおける音圧レベルが所定の閾値以上であり、当該一のピークを形成する領域の方向に関する幅が所定の閾値以下である場合、当該一のピークにおける方向に音響反射板が存在すると特定する、という構成が採用されてもよい。
【００２３】
このような放音装置によれば、検出されたピークの特性に基づき、そのピークが音響反射板に応じたピークであるか否かの判定が行なわれるため、壁面と比べ反射における音圧レベルの損失が小さく、幅（横方向の長さ）が所定値で変化しない音響反射板の有無を高い精度で特定することができる。
【図面の簡単な説明】
【００２４】
【図１】本発明の第１実施形態にかかる放音システムの概略構成を示すブロック図である。
【図２】本発明の第１実施形態にかかるスピーカアレイにおけるスピーカの配置例を模式的に示した図である。
【図３】本発明の第１実施形態にかかる放音装置が音響ビームの放音方向を特定する仕組みを説明するための図である。
【図４】放音装置から聴取位置に至る音響ビームの望ましくない伝達経路の例を示した図である。
【図５】放音装置から聴取位置に至る音響ビームの望ましくない伝達経路の例を示した図である。
【図６】本発明の第１実施形態にかかる放音装置が表示する音響反射板設定画面における設定例を示した図である。
【図７】本発明の第１実施形態にかかる放音装置が音響ビームの放音方向を特定する仕組みを説明するための図である。
【図８】本発明の第１実施形態にかかる放音装置が音響ビームの放音方向を特定する仕組みを説明するための図である。
【図９】本発明の第１実施形態にかかる放音装置が表示する音響反射板設定画面における設定例を示した図である。
【図１０】本発明の第１実施形態にかかる放音装置が音響ビームの放音方向を特定する仕組みを説明するための図である。
【図１１】本発明の第１実施形態にかかる放音装置が表示する音響反射板設定画面における設定例を示した図である。
【図１２】本発明の第１実施形態にかかる放音装置が音響ビームの放音方向を特定する仕組みを説明するための図である。
【図１３】本発明の第１実施形態にかかる放音装置が表示する音響反射板設定画面における設定例を示した図である。仕組みを説明するための図である。
【図１４】スピーカアレイ装置から放音された音響ビームが聴取者に到達する経路を示した図である。
【図１５】音響反射板の外観図である。
【図１６】音響反射板が必要となる状況を例示した図である。
【発明を実施するための形態】
【００２５】
［実施形態］
図１は、本発明の一実施形態にかかる放音装置１１と、放音装置１１が音響ビームの放音方向を設定するために用いるマイクロフォン１２とを備える放音システム１の概略構成を示すブロック図である。
【００２６】
放音装置１１はまず、マルチチャンネルサラウンド音を構成する複数のチャンネルの音の各々を音響ビームとして互いに異なる方向に放音するスピーカアレイ１１０を備えている。スピーカアレイ１１０は放音面が同じ面上に揃えられアレイ状に配置されたｎ個（ｎは任意の自然数）のスピーカ１１０１を有している。図２は、スピーカアレイ１１０におけるスピーカ１１０１の配置例を模式的に示した図である。
【００２７】
また、放音装置１１は、外部の装置からエンコードされたマルチチャンネルサラウンド音信号を受け取るソース音信号入力部１１１と、ソース音信号入力部１１１が受け取ったマルチチャンネルサラウンド音信号をデコードするデコーダ１１２と、デコーダ１１２により生成される複数のチャンネル毎の音信号を用いて音響ビームを形成するための音信号を生成し出力する音信号出力部１１３と、音信号出力部１１３から出力される音信号をデジタル信号からアナログ音信号に変換してスピーカアレイ１１０が有するｎ個のスピーカ１１０１の各々に出力するＤＡコンバータ１１４を備えている。なお、以下の説明において、ソース音信号入力部１１１が外部の装置から受け取るマルチチャンネルサラウンド音信号は、例として、５．１チャンネルであるものとする。なお、５．１チャンネルのマルチチャンネルサラウンド音信号に含まれるＬＦＥｃｈの音信号に関する処理については、既述のとおりその説明を省略するため、図１においてもＬＦＥｃｈの音信号の処理に関する構成部はその記載が省略されている。
【００２８】
音信号出力部１１３が音響ビームを形成するための音信号を生成する仕組みの概要を以下に説明する。音信号出力部１１３はｎ個のスピーカ１１０１の各々に対応するｎ個の処理ブロック１１３１を備えている。音信号出力部１１３は、デコーダ１１２によりデコードされた５つのチャンネルの音信号を各々、ｎ個に分岐させて、ｎ個の処理ブロック１１３１の各々に入力する。
【００２９】
ｎ個の処理ブロック１１３１の各々は、５つのチャンネルに応じた５つの遅延器および５つの増幅器と、増幅器により増幅された後の５つの音信号を加算する１つの加算器を備えており、入力された５つの音信号を各々、遅延器により遅延し、増幅器により増幅した後、それらを加算器により加算し、ＤＡコンバータ１１４に出力する。ＤＡコンバータ１１４は、ｎ個の処理ブロック１１３１の各々から入力される音信号をアナログ信号に変換した後、音信号の入力元の処理ブロック１１３１に対応するスピーカ１１０１に出力する。
【００３０】
各処理ブロック１１３１が備える５つの遅延器の各々が行なう遅延処理のディレイタイムは、スピーカアレイ１１０から放音されるべき音響ビームの方向およびその音響ビームが焦点を結ぶべき位置（スピーカアレイ１１０からの距離）に応じて定まる。また、各処理ブロック１１３１が備える５つの増幅器の各々が行なう増幅における増幅率は、スピーカアレイ１１０から放音されるべき音響ビームの音圧レベルに応じて定まる。放音装置１１はそれらのディレイタイムおよび増幅率（以下、「音響ビーム形成パラメータ」と呼ぶ）を算出し音信号出力部１１３に設定する制御部１１５を備えている。
【００３１】
制御部１１５が音響ビーム形成パラメータを決定するためには、上記のように、音響ビームの放音の方向、スピーカアレイ１１０から音響ビームの焦点までの距離、音響ビームの放音時の音圧レベル、が特定される必要がある。本願の本実施形態においては、スピーカアレイ１１０から音響ビームの焦点までの距離と音響ビームの放音時の音圧レベルの特定の仕組みについては従来技術が利用可能であるため、その説明を省略する。従って、以下においては放音装置１１が音響ビームの放音方向を特定する仕組みを中心に説明を行なう。
【００３２】
図３は、放音装置１１が音響ビームの放音方向を特定する仕組みを説明するための図である。放音装置１１は、図３（Ａ）の矢印Ｄに示すように、スピーカアレイ１１０からテスト音の音響ビーム（以下、「テスト用音響ビーム」と呼ぶ）を旋回するように放音し、聴取位置に配置されたマイクロフォン１２により集音される音を示す集音信号をマイクロフォン１２から受け取る。その結果、放音装置１１は図３（Ｂ）に示すような、テスト用音響ビームの放音方向と集音信号が示す音圧レベルとの関係（以下、「音圧プロファイル」と呼ぶ）を示すデータを得る。放音装置１１は音圧プロファイルにおいて音圧レベルがピーク値を示す方向（以下、「ピーク方向」と呼ぶ）の中から、所定の規則に従い各チャンネルの音響ビームの放音方向に適するものを選択する。これにより、放音装置１１は各チャンネルの音響ビームの放音方向を決定する。
【００３３】
具体的には、まず、制御部１１５はテスト音を示すテスト音信号を順次、音信号出力部１１３に出力するとともに、時間の経過に伴い音響ビームの放音方向が水平面上で変化するように時々刻々と異なる音響ビーム形成パラメータを生成し、そのように生成した音響ビーム形成パラメータを順次、音信号出力部１１３に入力する。なお、テスト音信号としては、音響ビームの形成が可能な音信号であり、直接音と反射音が重なり合っても互いに干渉し合うことがない波形信号が望ましい。例えば、４ｋＨｚを中心とする周期性のない波形信号や雑音信号などがテスト音信号として好適である。放音装置１１は各種データを記憶する記憶部１１８を備えており、テスト音信号を示すデータも記憶部１１８に記憶されている。
【００３４】
音信号出力部１１３は制御部１１５から順次受け取るテスト音信号を、同じく制御部１１５から順次受け取る音響ビーム形成パラメータに従い処理し、スピーカ１１０１の各々に対し出力する。その結果、スピーカアレイ１１０から、テスト用音響ビームが水平面上を旋回するように移動しながら放音されることになる。
【００３５】
上記のようにスピーカアレイ１１０から放音されたテスト用音響ビームは、直接、又は何度か壁面に反射した後、聴取位置に配置されたマイクロフォン１２に到達し集音され、集音信号に変換されて放音装置１１に入力される。
【００３６】
放音装置１１はマイクロフォン１２から出力される集音信号を受け取る集音信号入力部１１６と、集音信号入力部１１６が受け取った集音信号をアナログ信号からデジタル信号に変換するＡＤコンバータ１１７を備えている。ＡＤコンバータ１１７はデジタル信号に変換した集音信号を制御部１１５に引き渡す。
【００３７】
制御部１１５は音信号出力部１１３に対し音響ビーム形成パラメータにより指示を行なったテスト用音響ビームの放音方向を示す方向データと、その音響ビーム形成パラメータの出力を行なった後、ＡＤコンバータ１１７から受け取った集音信号とを互いに関連付けて記憶部１１８に記憶させる。
【００３８】
テスト用音響ビームの旋回が完了すると、制御部１１５は記憶部１１８に互いに関連付けて記憶されている多数の方向データと集音信号の組を読み出し、音圧プロファイルを生成する。図３（Ｂ）は制御部１１５により生成される音圧プロファイルのグラフを例示したものである。図３（Ｂ）のグラフにおいては、テスト用音響ビームの放音の方向が横軸に、集音信号の音圧レベルが縦軸に示されている。なお、本実施形態において、放音の方向はベースラインＢの左側方向を基準とし、水平面上において反時計回りに増加する角度により特定される。なお、図３（Ｂ）のグラフは、制御部１１５がノイズ除去を行い平滑化したものである（以下に例示する他の音圧プロファイルのグラフも同様）。
【００３９】
続いて、制御部１１５は音圧プロファイルに示される音圧レベルがピーク値を示す点（以下、「ピーク点」と呼ぶ）を特定し、特定したピーク点のピーク方向の中から各チャンネルの音響ビームの放音方向に適するものを選択する。そのための機能構成部として、制御部１１５はピーク特定部１１５１と、方向設定部１１５２を備えている（図１参照）。
【００４０】
ピーク特定部１１５１は、音圧プロファイルのグラフの形状を解析し、方向の変化に伴い音圧レベルが所定の閾値以上に増加した後、所定の閾値以下に減少するカーブを描く領域をピーク領域として特定する。図３（Ｃ）において、Ａ1〜Ａ5で示される領域がピーク特定部１１５１により特定されたピーク領域である。続いて、ピーク特定部１１５１は特定したピーク領域の各々に関し、音圧レベルが最大値を示す点をピーク点として特定する。図３（Ｃ）に示すＰ1〜Ｐ5がピーク特定部１１５１により特定されたピーク点である。
【００４１】
＜反射板が配置されていない場合＞
図３（Ａ）に示した例のように、部屋に反射板が配置されていない場合、方向設定部１１５２は、以下に述べる規則（以下、「通常の規則」と呼ぶ）に従い、ピーク特定部１１５１により特定されたピーク点の中から各ピーク点に割り当てるチャンネルを決定する。通常の規則は、Ｃｃｈ以外のチャンネルの音響ビームが部屋の壁面に反射して伝達することを想定して個々のチャンネルに適するピーク方向を推定する規則である。
【００４２】
（Ｃｃｈに割り当てるピーク方向）
ピーク値が最大を示すピーク方向で、９０度を中心とする所定の範囲（例えば６０度〜１２０度）内に含まれるピーク方向。
（Ｌｃｈに割り当てるピーク方向）
ピーク方向が０度側に近い所定の範囲（例えば３０度〜５０度）内に含まれ、ピーク値がＣｃｈに割り当てたピーク方向のピーク値の所定比率（例えば４０％）以上であるピーク方向。（それらが複数ある場合、ピーク方向が０度に近いもの）
（Ｒｃｈに割り当てるピーク方向）
ピーク方向が１８０度側に近い所定の範囲（例えば１３０度〜１５０度）内に含まれ、ピーク値がＣｃｈに割り当てたピーク方向のピーク値の所定比率（例えば４０％）以上であるピーク方向。（それらが複数ある場合、ピーク方向が１８０度に近いもの）
（ＳＬｃｈに割り当てるピーク方向）
ピーク方向が所定の範囲（Ｌｃｈのピーク方向の特定に用いる範囲よりも９０度側に設定された範囲であり、例えば４０度〜６０度）内に含まれ、ピーク値がＣｃｈに割り当てたピーク方向のピーク値の所定比率（例えば、２０％）以上であるピーク方向。（それらが複数ある場合、ピーク値が最大のもの）
（ＳＲｃｈに割り当てるピーク方向）
ピーク方向が所定の範囲（Ｒｃｈのピーク方向の特定に用いる範囲よりも９０度側に設定された範囲であり、例えば１２０度〜１４０度）内に含まれ、ピーク値がＣｃｈに割り当てたピーク方向のピーク値の所定比率（例えば、２０％）以上であるピーク方向。（それらが複数ある場合、ピーク値が最大のもの）
【００４３】
なお、通常の規則において、Ｌｃｈに割り当てるピーク方向を０度側に近い所定の範囲（例えば３０度〜５０度）内に限定し、その範囲より０度側の範囲（例えば０度〜３０度）を除外している理由は、図４に示すような２回以上の反射を伴う伝達経路の放音方向を誤ってＬｃｈに割り当てないためである。Ｒｃｈに関しても同様である。
【００４４】
また、通常の規則において、ＳＬｃｈに割り当てるピーク方向を、Ｌｃｈのピーク方向の特定に用いる範囲よりも９０度側に設定された所定の範囲（例えば４０度〜６０度）内に限定し、その範囲より９０度側の範囲（例えば、６０度〜９０度）を除外している理由は、図５に示すような３回以上の反射を伴う伝達経路の放音方向を誤ってＳＬｃｈに割り当てないためである。ＳＲｃｈに関しても同様である。
【００４５】
音圧プロファイルが図３（Ｃ）に示した例の場合、方向設定部１１５２は上記の通常の規則に従い、以下のピーク方向を各チャンネルの音響ビームの放音方向として割り当てる。
（Ｃｃｈ）ピーク点Ｐ3のピーク方向（角度θ3）
（Ｌｃｈ）ピーク点Ｐ1のピーク方向（角度θ1）
（Ｒｃｈ）ピーク点Ｐ5のピーク方向（角度θ5）
（ＳＬｃｈ）ピーク点Ｐ2のピーク方向（角度θ2）
（ＳＲｃｈ）ピーク点Ｐ4のピーク方向（角度θ4）
【００４６】
方向設定部１１５２は上記のように５つのチャンネルの各々に放音方向を割り当てると、それらの放音方向に各チャンネルの音響ビームを形成するための音響ビーム形成パラメータ（放音方向に関するもの）を生成する。方向設定部１１５２により生成された音響ビーム形成パラメータは音信号出力部１１３に設定される。
【００４７】
その後、音信号出力部１１３が外部の装置からソース音信号入力部１１１、デコーダ１１２およびＤＡコンバータ１１４を経由して音信号を受け取った場合、設定された音響ビーム形成パラメータに従いそれらの音信号を処理してスピーカアレイ１１０に出力する結果、スピーカアレイ１１０からＣｃｈの音響ビームが角度θ3の方向に、Ｌｃｈの音響ビームが角度θ1の方向に、Ｒｃｈの音響ビームが角度θ5の方向に、ＳＬｃｈの音響ビームが角度θ2の方向に、ＳＲｃｈの音響ビームが角度θ4の方向に、各々放音されることになる。図３（Ｄ）は、そのようにスピーカアレイ１１０から放音される音響ビームが聴取位置の聴取者Ｕに到達する経路を示している。
【００４８】
放音装置１１は、上述した各構成部に加え、図１に示されるように、ユーザの操作に応じて所定の信号を生成することによりユーザの放音装置１１に対するデータ入力を受け付ける操作部１１９と、ユーザに対し文字や画像を表示する表示部１２０を備えている。
【００４９】
＜音響反射板が配置されている場合＞
空間ＳＰ内に音響反射板が配置されている場合、方向設定部１１５２は上述した通常の規則とは異なる規則に従い各チャンネルに対するピーク方向の割り当てを行なう。
【００５０】
音響反射板の有無に応じてピーク方向の割り当ての規則を変更するために、放音装置１１の制御部１１５は音響反射板の有無を特定する機能構成部として音響反射板有無特定部１１５３を備えている。音響反射板有無特定部１１５３はユーザにより放音装置１１に対し入力された音響反射板の設定情報により空間ＳＰ内の音響反射板の有無を特定する。
【００５１】
図６はユーザが放音装置１１に対し音響反射板を利用するチャンネル（以下、「音響反射板に割り当てるチャンネル」のようにいう）を設定するための画面（以下「音響反射板設定画面」と呼ぶ）を示した図である。音響反射板設定画面はユーザの操作部１１９に対する所定の操作に応じて表示部１２０に表示される。図６（Ａ）はいずれのチャンネルにも音響反射板を用いない場合の設定を示す音響反射板設定画面であり、図６（Ｂ）はＳＬｃｈに対し音響反射板を用いる場合の設定を示す音響反射板設定画面である。ユーザは音響反射板設定画面が表示されている状態で操作部１１９を操作することにより、例えば図６（Ａ）から図６（Ｂ）のように音響反射板に関する設定を変更することができる。
【００５２】
図７は、空間ＳＰ内の聴取位置から見て左後方の位置にＳＬｃｈ用の音響反射板ＲＢが配置された場合において、放音装置１１が各チャンネルに対する放音方向の割り当てを行う手順を説明するための図である。図７（Ａ）に示すように聴取位置から見て左後方の位置に音響反射板ＲＢが配置されている場合、図７（Ｂ）に示すような音圧プロファイルが得られる。図７（Ｂ）においてピーク領域Ａ6が音響反射板ＲＢに対応するピーク領域である。
【００５３】
ＳＬｃｈ用に音響反射板ＲＢが配置されているにもかかわらず、音響反射板の設定が図６（Ａ）に示される状態（全てのチャンネルに関し「音響反射板なし」）の場合、音響反射板有無特定部１１５３は音響反射板が無いと特定する。その特定結果は方向設定部１１５２に引き渡される。方向設定部１１５２は音響反射板が無い、という特定結果を音響反射板有無特定部１１５３から受け取った場合、通常の規則に従い各チャンネルに対する放音方向の割り当てを行なう。
【００５４】
その結果、仮に聴取者が音響反射板ＲＢをＳＬｃｈに割り当てたいと思っていても、ＳＬｃｈに対し音響反射板ＲＢは必ずしも割り当てられない。なぜなら、通常の規則は、Ｃｃｈ以外の全てのチャンネルの音響ビームが部屋の壁面により反射することを想定した規則であり、音響反射板を用いる想定に基づく規則とはなっていないためである。
【００５５】
具体的には、方向設定部１１５２はＳＬｃｈに割り当てるピーク方向の選択において、図７（Ｃ）に示すようにピーク特定部１１５１により特定されたピーク方向のうち例えば４０度〜６０度の範囲内のものを選択する。従って、音響反射板ＲＢが図７（Ａ）に示すように６０度〜９０度の範囲内に配置されている場合、方向設定部１１５２は図７（Ｄ）に示すように、音響反射板ＲＢの方向を示すピーク方向（角度θ6）ではなく、ピーク点Ｐ2のピーク方向（角度θ2）をＳＬｃｈに割り当てる。
【００５６】
一方、音響反射板の設定が図（Ｂ）に示される状態（ＳＬｃｈに関し「音響反射板あり」、その他のチャンネルに関し「音響反射板なし」）場合、音響反射板有無特定部１１５３はＳＬｃｈ用の音響反射板が有る、と特定する。その特定結果は方向設定部１１５２に引き渡される。
【００５７】
方向設定部１１５２はＳＬｃｈ用の音響反射板が有る、という特定結果を音響反射板有無特定部１１５３から受け取った場合、ＳＬｃｈに対するピーク方向の割り当てに関し、通常の規則とは異なる以下の規則（以下、「ＳＬｃｈ用の反射板割り当て規則」のようにいう）を用いる。
（ＳＬｃｈに割り当てるピーク方向）
ピーク方向が所定の範囲（Ｌｃｈのピーク方向の特定に用いる範囲よりも９０度側に設定された範囲であり、例えば４０度〜８０度）内に含まれ、ピーク値がＣｃｈに割り当てたピーク方向のピーク値の所定比率（例えば、６０％）以上であるピーク方向。（それらが複数ある場合、ピーク値が最大のもの）
【００５８】
すなわち、ＳＬｃｈ用の反射板割り当て規則においては、通常の規則と比べ、ピーク方向の選択の範囲が、図７（Ｅ）に示すように９０度側に拡張されている。スピーカアレイ１１０から見たＳＬｃｈ用の音響反射板ＲＢの方向は、壁面反射によるＳＬｃｈの音響ビームの方向よりも自由度が高いためである。
【００５９】
また、ＳＬｃｈ用の反射板割り当て規則においては、通常の規則と比べ、Ｃｃｈに割り当てたピーク方向のピーク値に対するＳＬｃｈに割り当てるピーク方向のピーク値の比率が高く設定されている。音響反射板ＲＢは一般的な壁面と比べ音の乱反射や吸収が少ないため、１回あたりの反射における音圧パワーの損失が少ない。またＳＬｃｈに関しては、壁面反射の場合は反射回数が２回であるのに対し、音響反射板ＲＢを用いる場合は反射回数が１回である。そのため、音響反射板ＲＢに反射した音響ビームの方が、壁面に反射した音響ビームと比べ、聴取位置に到達した際の音圧パワーの損失が少ないためである。
【００６０】
方向設定部１１５２は上記のＳＬｃｈ用の反射板割り当て規則に従い、ＳＬｃｈに割り当てるピーク方向の特定を行なう。具体的には、方向設定部１１５２はピーク方向が拡張後の範囲内であるピーク領域（この場合、ピーク領域Ａ2とピーク領域Ａ6）のうちピーク値がＣｃｈに対応するピーク点Ｐ3のピーク値の所定比率（例えば、６０％）以上であるピーク領域Ａ6を特定する。方向設定部１１５２はこのように特定したピーク領域Ａ6のピーク方向をＳＬｃｈに割り当てる。
【００６１】
以上のような放音装置１１の処理により、図７（Ｆ）に示すように、ユーザの意図したＳＬｃｈが音響反射板ＲＢに割り当てられる。
【００６２】
図８は、図７に示した例とは異なる位置に音響反射板ＲＢが配置された例を示した図である。図８（Ａ）に示すように聴取位置から見て左前方の位置に音響反射板ＲＢが配置されている場合、図８（Ｂ）に示すような音圧プロファイルが得られる。図８（Ｂ）においてピーク領域Ａ6が音響反射板ＲＢに対応するピーク領域である。
【００６３】
Ｌｃｈ用に音響反射板ＲＢが配置されているにもかかわらず、音響反射板の設定が図６（Ａ）に示される状態（全てのチャンネルに関し「音響反射板なし」）の場合、音響反射板有無特定部１１５３は音響反射板が無いと特定し、方向設定部１１５２は通常の規則に従い各チャンネルに対しピーク方向を割り当てる。
【００６４】
この場合、Ｌｃｈに対し音響反射板ＲＢは必ずしも割り当てられない。なぜなら、上述したように通常の規則は、Ｃｃｈ以外の全てのチャンネルの音響ビームが部屋の壁面により反射することを想定した規則であり、音響反射板を用いる想定に基づく規則とはなっていないためである。
【００６５】
具体的には、方向設定部１１５２はＬｃｈに割り当てるピーク方向の選択において、図８（Ｃ）に示すようにピーク特定部１１５１により特定されたピーク方向のうち例えば３０度〜５０度の範囲内のものを選択する。従って、音響反射板ＲＢが図８（Ａ）に示すように０度〜３０度の範囲内に配置されている場合、方向設定部１１５２は図８（Ｄ）に示すように、音響反射板ＲＢの方向を示すピーク方向（角度θ6）ではなく、ピーク点Ｐ1のピーク方向（角度θ1）をＬｃｈに割り当てる。
【００６６】
一方、音響反射板の設定が図９に示される状態（Ｌｃｈに関し「音響反射板あり」、その他のチャンネルに関し「音響反射板なし」）の場合、音響反射板有無特定部１１５３はＬｃｈ用の音響反射板が有る、と特定する。その特定結果は方向設定部１１５２に引き渡される。
【００６７】
方向設定部１１５２はＬｃｈ用の音響反射板が有る、という特定結果を音響反射板有無特定部１１５３から受け取った場合、Ｌｃｈに対するピーク方向の割り当てに関し、通常の規則に代えて、以下のＬｃｈ用の反射板割り当て規則を用いる。
（Ｌｃｈに割り当てるピーク方向）
ピーク方向が０度側に近い所定の範囲（例えば５度〜５０度）内に含まれ、ピーク値がＣｃｈに割り当てたピーク方向のピーク値の所定比率（例えば６０％）以上であるピーク方向。（それらが複数ある場合、ピーク値が最大のもの）
【００６８】
すなわち、Ｌｃｈ用の反射板割り当て規則においては、通常の規則と比べ、ピーク方向の選択の範囲が、図８（Ｅ）に示すように０度側に拡張されている。スピーカアレイ１１０から見たＬｃｈ用の音響反射板ＲＢの方向は、壁面反射によるＬｃｈの音響ビームの方向よりも自由度が高いためである。
【００６９】
また、Ｌｃｈ用の反射板割り当て規則においては、通常の規則と比べ、Ｃｃｈに割り当てたピーク方向のピーク値に対するＬｃｈに割り当てるピーク方向のピーク値の比率が高く設定されている。音響反射板ＲＢは一般的な壁面と比べ１回あたりの反射における音圧パワーの損失が少なく、音響反射板ＲＢに反射した音響ビームの方が、壁面に反射した音響ビームと比べ、聴取位置に到達した際の音圧パワーの損失が少ないためである。
【００７０】
方向設定部１１５２は上記のＬｃｈ用の反射板割り当て規則に従い、Ｌｃｈに割り当てるピーク方向の特定を行なう。具体的には、方向設定部１１５２はピーク方向が拡張後の範囲内であるピーク領域（この場合、ピーク領域Ａ6とピーク領域Ａ1）のうちピーク値がＣｃｈに対応するピーク点Ｐ3のピーク値の所定比率（例えば、６０％）以上であるピーク領域Ａ6を特定する。方向設定部１１５２はこのように特定したピーク領域Ａ6のピーク方向をＬｃｈに割り当てる。
【００７１】
以上のような放音装置１１の処理により、図８（Ｆ）に示すように、ユーザの意図したＬｃｈが音響反射板ＲＢに割り当てられる。
【００７２】
図１０は、音響反射板の配置位置が異なるにもかかわらず音圧プロファイルの形状が類似する場合であっても、放音装置１１により音響反射板に対するチャンネルの割り当てが正しく行われることを説明するための図である。
【００７３】
図１０（Ａ）に示すように、Ｌｃｈ用として音響反射板ＲＢが聴取位置から見て左前方に配置された場合、音圧プロファイルは図１０（Ｃ）のようになる。また、図１０（Ｂ）に示すように、ＳＬｃｈ用として音響反射板ＲＢが聴取位置から見て左のやや後方に配置された場合、音圧プロファイルは図１０（Ｄ）のようになる。図１０（Ｃ）と図１０（Ｄ）のいずれの音圧プロファイルにおいても、音響反射板ＲＢに対応するピーク領域Ａ6がピーク領域Ａ1とピーク領域Ａ2との間のほぼ同じ位置となっている。従って、この音圧プロファイルの形状のみに基づいて、ピーク領域Ａ6に応じたピーク方向（角度θ6）をＬｃｈとＳＬｃｈのいずれに割り当てるべきであるかを特定することは困難である。
【００７４】
本実施形態では、ユーザにより設定された音響反射板の設定を用いるので、方向設定部１１５２はピーク領域Ａ6に応じたピーク方向（角度θ6）をＬｃｈもしくはＳＬｃｈに正しく割り当てることができる。
【００７５】
具体的には、ユーザが図１１（Ａ）に示すように、音響反射板設定画面においてＬｃｈに関し「音響反射板あり」（その他のチャンネルに関しては「音響反射板なし」）という設定を行なった場合、方向設定部１１５２はＬｃｈに対するピーク方向の割り当てにおいて、Ｌｃｈ用の反射板割り当て規則に従い、ピーク領域Ａ6のピーク方向（角度θ6）をＬｃｈに割り当てる。
【００７６】
続いて、方向設定部１１５２はＳＬｃｈに対するピーク方向の割り当てにおいて、通常の規則に従い、ピーク点Ｐ2のピーク方向（角度θ2）をＳＬｃｈに割り当てる（図１０（Ｅ））。
【００７７】
一方、ユーザが図１１（Ｂ）に示すように、音響反射板設定画面においてＳＬｃｈに関し「音響反射板あり」（その他のチャンネルに関しては「音響反射板なし」）という設定を行なった場合、方向設定部１１５２はＬｃｈに対するピーク方向の割り当てにおいて、通常の規則に従い、ピーク点Ｐ1のピーク方向（角度θ1）をＬｃｈに割り当てる。
【００７８】
続いて、方向設定部１１５２はＳＬｃｈに対するピーク方向の割り当てにおいて、ＳＬｃｈ用の反射板割り当て規則に従い、ピーク領域Ａ6のピーク方向（角度θ6）をＳＬｃｈに割り当てる（図１０（Ｆ））。
【００７９】
図１２は、複数の音響反射板が空間ＳＰ内に配置された場合において、放音装置１１がそれらの音響反射板にチャンネルを割り当てる手順を説明するための図である。
【００８０】
図１２（Ａ）に示すように、Ｌｃｈ用として音響反射板ＲＢ１が聴取位置から見て左前方に配置され、ＳＬｃｈ用として音響反射板ＲＢ２が聴取位置から見て左後方に配置されている場合、音圧プロファイルは図１２（Ｂ）のようになる。そして、ユーザは図１３に示すように、音響反射板設定画面においてＬｃｈとＳＬｃｈに関し「音響反射板あり」（その他のチャンネルに関しては「音響反射板なし」）という設定を行ったとする。
【００８１】
方向設定部１１５２はまずＬｃｈに対するピーク方向の割り当てにおいて、Ｌｃｈ用に音響反響板が有る、との特定結果を音響反射板有無特定部１１５３から受け取っているため、Ｌｃｈ用の反響板割り当て規則に従い、ピーク方向の特定を行う。具体的には、方向設定部１１５２はピーク方向が拡張後の範囲（例えば５度〜５０度）内に入るピーク領域としてピーク領域Ａ1とピーク領域Ａ6を特定し、それらのピーク領域のうちピーク値がＣｃｈに対応するピーク領域Ａ3のピーク値の６０％以上のものとして、ピーク領域Ａ6を特定する。方向設定部１１５２はこのように特定したピーク領域Ａ6のピーク方向（角度θ6）をＬｃｈに割り当てる。
【００８２】
続いて、方向設定部１１５２はＳＬｃｈに対するピーク方向の割り当てにおいて、ＳＬｃｈ用に音響反響板が有る、との特定結果を音響反射板有無特定部１１５３から受け取っているため、ピーク方向が拡張後の範囲（例えば、４０度〜８０度）内に入るピーク領域としてピーク領域Ａ6、ピーク領域Ａ2、ピーク領域Ａ7を特定し、既にＬｃｈに割り当てたピーク領域Ａ6を除外したピーク領域Ａ2とピーク領域Ａ7のうちピーク値がＣｃｈに対応するピーク領域Ａ3のピーク値の６０％以上のものとして、ピーク領域Ａ7を特定する。方向設定部１１５２はこのように特定したピーク領域Ａ7のピーク方向（角度θ7）をＳＬｃｈに割り当てる。
【００８３】
上記のように音響反射板が複数用いられる場合であっても、方向設定部１１５２はそれら複数の音響反射板の方向の各々に対し、多くの場合、望ましいチャンネルを割り当てることができる。
【００８４】
［変形例］
上述した実施形態は本発明の技術的思想の範囲内において様々に変形することができる。以下にそれらの変形の例を示す。
【００８５】
上述した実施形態において、音響反射板有無特定部１１５３はユーザにより入力された音響反射板に関する設定の内容に基づき、空間ＳＰ内に音響反射板が配置されているか否かを特定する構成が採用されている。これに代えて、音響反射板有無特定部１１５３が、所定の条件を満たすピーク領域を反射板に応じたピーク領域（以下、「反射板ピーク領域」という）として特定する構成が採用されてもよい。
【００８６】
この変形例において音響反射板有無特定部１１５３は、例えば以下に示すような所定の条件（以下、「反射板条件」という）を満たすピーク領域を反射板ピーク領域として特定する。
（反射板条件）
ピーク値がＣｃｈに対応するピーク点Ｐ3のピーク値の所定比率（例えば、６０％）以上であり、かつ、ピーク領域の横軸方向の幅が所定の閾値（例えば、１０度）以下である。
【００８７】
音響反射板は、既に述べたように、壁面反射よりも反射における音圧レベルの損失が少ない。また、音響反射板を反射して聴取位置に達する音響ビームは通常、その反射の回数が２回以上になることはない。そのため、音響反射板に反射して聴取位置に達する音響ビームの音圧レベルは、反射なく聴取位置に達するＣｃｈの音響ビームに対する比率が壁面反射により聴取位置に達する音響ビームの音圧レベルと比べ高い。
【００８８】
また、音響反射板は所定の幅（例えば、３００ｍｍ）を有しており、音響反射板に反射して聴取位置に達する音響ビームの方向の範囲は壁面反射により聴取位置に達する音響ビームの方向の範囲と比べ狭い。反射板条件は、音響反射板に反射した音響ビームの特性に基づき、ピーク領域が反射板ピーク領域であるか否かを判定するための条件である。
【００８９】
例えば、図１２（Ｂ）に例示の音圧プロファイルにおいて、この変形例にかかる音響反射板有無特定部１１５３は、ピーク領域Ａ6とピーク領域Ａ7を反射板ピーク領域として特定する。音響反射板有無特定部１１５３は反射板ピーク領域を特定すると、特定した反射板ピーク領域の情報を方向設定部１１５２に引き渡す。方向設定部１１５２は音響反射板有無特定部１１５３から引き渡された反射板ピーク領域の情報に基づき、この場合、０度側に近いピーク領域Ａ6のピーク方向（θ6）をＬｃｈに、また９０度側にピーク領域Ａ7のピーク方向（θ7）をＳＬｃｈに、各々割り当てる。その結果、図１２（Ｃ）に示したように、音響反射板に対し望ましいチャンネルが割り当てられる。この変形例にかかる放音装置１１よれば、ユーザが音響反射板に関する設定を行う必要がない。
【００９０】
上述した変形例を上述した実施形態に組み合わせてもよい。すなわち、音響反射板有無特定部１１５３は、ユーザによる設定に基づき音響反射板の有無の特定を行うとともに、反射板条件に基づき反射板ピーク領域を特定することにより、ユーザの設定を確認する構成が採用されてもよい。この場合、例えばユーザがいずれかのチャンネルに関し「音響反射板あり」と設定したにもかかわらず、音響反射板有無特定部１１５３が反射板条件を満たすピーク領域を特定できなかった場合、放音装置１１が表示部１２０にメッセージを表示することで、ユーザに設定の確認を促すといった構成が採用されてもよい。
【００９１】
また、上述した実施形態においては、スピーカアレイ１１０は水平方向にのみ音響ビームを放音する構成が採用されている。本発明はこれに限られず、上下方向にも音響ビームの放音が可能なスピーカアレイにより、床や天井における反射や、聴取者の頭の高さよりも低い位置や高い位置に配置された音響反射板における反射を利用して、３次元的なマルチチャンネルサラウンド音の再生を行う放音装置が構成されてもよい。
【００９２】
また、上述した実施形態においては、放音装置１１が５．１チャンネルのマルチチャンネルサラウンド音を再生する場合を例として説明したが、本発明にかかる放音装置が再生するマルチチャンネル音のチャンネル数やその構成は５．１チャンネルに限られず、他の様々なマルチチャンネル音の再生において本発明は適用され得る。
【００９３】
なお、上述した実施形態の説明において示した具体的な数値、条件、処理の順序等はあくまで例示であって、他の数値、条件、処理の順序等が採用され得る。
【符号の説明】
【００９４】
１…放音システム、２…放音システム、１１…放音装置、１２…マイクロフォン、２１…放音装置、９１…放音装置、１１０…スピーカアレイ、１１１…ソース音信号入力部、１１２…デコーダ、１１３…音信号出力部、１１４…ＤＡコンバータ、１１５…制御部、１１６…集音信号入力部、１１７…ＡＤコンバータ、１１８…記憶部、１１９…操作部、１２０…表示部、１１０１…スピーカ、１１３１…処理ブロック、１１５１…ピーク特定部、１１５２…方向設定部、１１５３…音響反射板有無特定部
【図１】
2014033266.tif 000003
【図２】
2014033266.tif 000004
【図３】
2014033266.tif 000005
【図４】
2014033266.tif 000006
【図５】
2014033266.tif 000007
【図６】
2014033266.tif 000008
【図７】
2014033266.tif 000009
【図８】
2014033266.tif 000010
【図９】
2014033266.tif 000011
【図１０】
2014033266.tif 000012
【図１１】
2014033266.tif 000013
【図１２】
2014033266.tif 000014
【図１３】
2014033266.tif 000015
【図１４】
2014033266.tif 000016
【図１５】
2014033266.tif 000017
【図１６】
2014033266.tif 000018